(57)【要約】【課題】新たに選択したチャンネルの画像が出力されるまで時間を短縮する。【解決手段】視聴者が視聴していないチャンネルのフレーム内予測符号化データを記憶し、視聴者による視聴チャンネルの切替え時に、新たに選択されたチャンネルにおいてフレーム内予測符号化データが受信されるまでの期間、記憶したフレーム内予測符号化データを出力する。【選択図】図１
2007281805.tif 000002
【特許請求の範囲】
【請求項１】
複数のデジタル放送受信部と複数のデコーダーと、
前記受信部のうち視聴者が通常視聴に使用していない受信部のチャンネルを自動的に切替える手段と、
チャンネル毎にフレーム内予測符号化データを複数保存する記憶手段と、
チャンネル毎のフレーム内予測符号化データを受信するタイミングを検出する手段と、
検出したタイミングを基に各チャンネルのフレーム内予測符号化データ受信タイミングが重ならないように各チャンネルを複数の受信部へ割当てチャンネル切替えを行うタイミングを決定する手段と、
視聴者による視聴チャンネルの切替えが発生した場合、該切替え時点から新たに選択されたチャンネルにおいてフレーム内予測符号化データが受信されるまでの期間、前記記憶手段から新たに選択されたチャンネルのチャンネル切替え直前までに記憶されたフレーム内予測符号化データを出力する手段と、
前記期間外は視聴者が通常視聴に使用している受信部の受信データを出力する手段と、
を備えたことを特徴とするデジタル放送受信装置。
【請求項２】
チャンネル毎に、選択的にフレーム間予測符号化データを保存もしくは削除する手段を備え、
フレーム間予測符号化データが保存されている場合に、フレーム内予測符号化データと共にフレーム間予測符号化データを出力する手段を備えたことを特徴とする請求項１に記載のデジタル放送受信装置
【請求項３】
フレーム内予測符号化データが周期的に送信される特徴を利用し、前回の受信タイミングから、次のフレーム内データ予測符号化データの受信タイミングを予測しチャンネル切替えタイミングを決定することを特徴とする請求項１又は２に記載のデジタル放送受信装置。
【請求項４】
受信部のうち視聴者が通常視聴に使用していない受信部のチャンネルを自動的に切替える工程と、
チャンネル毎にフレーム内予測符号化データを複数保存する記憶工程と、
チャンネル毎のフレーム内予測符号化データを受信するタイミングを検出する工程と、
検出したタイミングを基に各チャンネルのフレーム内予測符号化データ受信タイミングが重ならないように各チャンネルを複数の受信部へ割当てチャンネル切替えを行うタイミングを決定する工程と、
視聴者による視聴チャンネルの切替えが発生した場合、該切替え時点から新たに選択されたチャンネルにおいてフレーム内予測符号化データが受信されるまでの期間、前記記憶手段から新たに選択されたチャンネルのチャンネル切替え直前までに記憶されたフレーム内予測符号化データを出力する工程と、
前記期間外は視聴者が通常視聴に使用している受信部の受信データを出力する工程と、
を備えたことを特徴とするデジタル放送受信方法。
【請求項５】
コンピュータに、
受信部のうち視聴者が通常視聴に使用していない受信部のチャンネルを自動的に切替える手順と、
チャンネル毎にフレーム内予測符号化データを複数保存する記憶手順と、
チャンネル毎のフレーム内予測符号化データを受信するタイミングを検出する手順と、
検出したタイミングを基に各チャンネルのフレーム内予測符号化データ受信タイミングが重ならないように各チャンネルを複数の受信部へ割当てチャンネル切替えを行うタイミングを決定する手順と、
視聴者による視聴チャンネルの切替えが発生した場合、該切替え時点から新たに選択されたチャンネルにおいてフレーム内予測符号化データが受信されるまでの期間、前記記憶手段から新たに選択されたチャンネルのチャンネル切替え直前までに記憶されたフレーム内予測符号化データを出力する手順と、
前記期間外は視聴者が通常視聴に使用している受信部の受信データを出力する手順と、
を実行させることを特徴とするデジタル放送受信用のプログラム。
【発明の詳細な説明】
【技術分野】
【０００１】
本発明は、デジタル放送を受信するデジタル放送受信装置等に関する。
【背景技術】
【０００２】
近年、さまざまなメディアから映像情報の配信がなされている。たとえば、放送波を利用したテレビ放送、また、通信回線を通じてインターネットによるストリーミング放送がある。
【０００３】
特に放送系において、テレビジョン信号をデジタル化したデジタル放送への移行が進んでいる。
【０００４】
デジタル放送では、映像情報の符号化方式としてＭＰＥＧ２が採用されている。ＭＰＥＧ２はその仕組上、アナログ放送と比較して、映像情報を受信しデコードを始めてから実際に映像が出力されるまでに時間がかかる。したがって、視聴者がチャンネルを切替えてから、新たに選択したチャンネルの画像が出力されるまでに時間がかかることになる。
【０００５】
従来、特許文献１等に記載されている、画像切替え時に同期流れによる乱れた画像あるいはブランキングのかけられた真っ黒な画像に代えて、画像切替え時の静止画を表示する技術が知られている。
【０００６】
また、特許文献２等に記載されている、複数受信部により映像情報を受信しＧＯＰを記憶する技術が提案されている。
【０００７】
【特許文献１】特開２００３−３３３４４６号公報
【特許文献２】特開平９−１３５３９４号公報
【発明の開示】
【発明が解決しようとする課題】
【０００８】
しかしながら、従来の技術では、以下の問題点がある。
【０００９】
特許文献１の技術では、チャンネル切替え後の画像が表示されるまでの時間が短くなるわけではない。視聴者に対し、チャンネル切替え時間の長さによる心理的負担は変わりない。
【００１０】
特許文献２の技術では、数秒単位の映像データをチャンネル毎に記憶するため、膨大な記憶領域が必要になる。
【課題を解決するための手段】
【００１１】
上記問題を解決するために本発明は、複数のデジタル放送受信部と複数のデコーダーと、前記受信部のうち視聴者が通常視聴に使用していない受信部のチャンネルを自動的に切替える手段と、チャンネル毎にフレーム内予測符号化データを複数保存する記憶手段と、チャンネル毎のフレーム内予測符号化データを受信するタイミングを検出する手段と、検出したタイミングを基に各チャンネルのフレーム内予測符号化データ受信タイミングが重ならないように各チャンネルを複数の受信部へ割当てチャンネル切替えを行うタイミングを決定する手段と、視聴者による視聴チャンネルの切替えが発生した場合、該切替え時点から、新たに選択されたチャンネルにおいてフレーム内予測符号化データが受信されるまでの期間、前記記憶手段から新たに選択されたチャンネルのチャンネル切替え直前までに記憶されたフレーム内予測符号化データを出力する手段と、前記期間外は視聴者が通常視聴に使用している受信部の受信データを出力する手段とを備えたことを特徴とするデジタル放送受信装置等、を提供する。
【発明の効果】
【００１２】
本発明によれば、視聴者が視聴していないチャンネルのフレーム内予測符号化データを記憶し、視聴者による視聴チャンネルの切替え時に、所定の期間、記憶したフレーム内予測符号化データを出力するため、以下の効果がある。
【００１３】
視聴者に対し、チャンネル切替え時間の長さによる心理的負担を軽減する。
【００１４】
フレーム内予測符号化データのみを記憶するため、記憶領域が小さくて済む。
【００１５】
各チャンネル毎のフレーム内予測データ受信タイミングを予測し、且つ、タイミングが同一のチャンネルを別々の受信部へ割当てるため、フレーム内予測符号化データを効率的に記憶することが可能となる。
【発明を実施するための最良の形態】
【００１６】
以下、図面を参照しながら、本発明の実施形態を説明する。図１は、本発明の表示システムの実施形態を表した構成図である。図２は、フレーム内符号化データ受信タイミングを示すタイミングチャートである。図３は、本発明でのチャンネルの受信部への割付け処理を示すフローチャートである。図４は、本発明でのチャンネル切替えの処理を表したフローチャートである。図５は、チャンネル切替え動作を示すタイミングチャートである。
【００１７】
図１において、１０１〜１０３は受信部であり、アンテナまたはケーブルを介して伝送されてくるデジタル放送波の中から、所定の周波数の電波を選択的に受信し、復調、エラー訂正、及び、必要に応じ限定受信のためのスクランブル解除を行う。受信部では、受信した放送波からトランスポート・ストリーム（ＴＳ）を生成し、ＴＳから映像情報、音声情報、及び、データ放送情報と、これらに付随する関連情報に分離する。
【００１８】
１０１〜１０３のうち、第１の受信部１０１は視聴者が通常視聴に使用する受信部である。
【００１９】
１０４〜１０６はデコーダーである。第１のデコーダー１０４は、第１の受信部１０１から映像情報、音声情報、及び、データ放送情報と、これらに付随する関連情報を受け取り、デコード処理を行う。
【００２０】
第２のデコーダー１０５及び第３のデコーダー１０６は、第２の受信部１０２、第３の受信部１０３から映像情報を受け取り、デコード処理を行う。
【００２１】
１０７は、チャンネル遷移制御手段である。第２の受信部１０２及び第３の受信部１０３のチャンネルを自動的に切替える手段である。
【００２２】
フレーム内予測符号化データ受信タイミング検出手段１０９で検出されたタイミングに従い、次のチャンネルへの切替え指示を受信制御部１０８に対して行う。
【００２３】
本実施例では、以後、フレーム内予測符号化データとしてＭＥＰＧ２におけるＩピクチャを使い説明を行っていく。
【００２４】
１０８は、受信部制御手段である。チャンネル遷移制御手段１０７からの指示に従い、第２の受信部１０２及び第３の受信部１０３のチャンネルを変更する。
【００２５】
１０９は、フレーム内予測符号化データ受信タイミング検出手段である。
【００２６】
第２の受信部１０２及び第３の受信部１０３で受信する各チャンネルのフレーム内予測符号化データの受信周期とタイミングを検出する。
【００２７】
１１０は、チャンネル遷移スケジューリング手段である。
【００２８】
フレーム内予測符号化データ受信タイミング検出手段１０９で検出された各チャンネルのフレーム内予測符号化データの受信周期とタイミングに基づく処理を行う。即ち、第２の受信部１０２及び第３の受信部１０３で受信するフレーム内予測符号化データが最大になるように各チャンネルを第２の受信部１０２及び第３の受信部１０３へ割付ける。
【００２９】
１１１は、記憶部である。
【００３０】
第２のデコーダー１０５及び第３のデコーダー１０６がデコードしたＩフレームを記憶する。
【００３１】
各チャンネル毎に記憶可能なＩフレーム数はｎであり、ｎを超えた場合は、最も古いＩフレームが消去され、新たなＩフレームが記憶される。
【００３２】
本実施例では、ｎは８であるとして説明していく。
【００３３】
１１２は、出力切替手段である。視聴者が通常視聴を行っている場合には、第１のデコーダー１０４でデコードされた映像が画像処理部１１１へ出力される。
【００３４】
視聴者によるチャンネル切替えが実行されると、新たなチャンネルのＩフレームを受信するまでの期間、記憶部１０９に記憶された新たなチャンネルに該当するＩフレームが古いものから順に画像処理部１１１へ出力される。
【００３５】
１１３は、画像処理部である。
【００３６】
画像処理部１１１では、階調・解像度・レートの変換や、各映像データに適した高画質化処理を行う。
【００３７】
１１４は、表示制御部である。
【００３８】
表示制御部１１２は、画像処理部１１１で画像処理を施された映像データをモニター１１３へ出力する。
【００３９】
１１５は、モニターである。
【００４０】
以下、図２及び図３に従い本発明での各チャンネルの第２の受信部１０２及び第３の受信部１０３への割当て動作を説明する。
【００４１】
受信装置の電源を入れると、チャンネル遷移制御手段１０７により自動的に第２の受信部及び第３の受信部のチャンネル切替えが開始される。
【００４２】
初期状態においては、フレーム内予測符号化データ受信タイミング検出手段１０９により検出された各チャンネルのＩフレーム受信の周期及びタイミングが未知である。
【００４３】
このため、チャンネル遷移制御手段１０７は、最初のチャンネルから順に全てのチャンネルへの切替えを行っていく。
【００４４】
フレーム内予測符号化データ受信タイミング検出手段１０９により、各チャネルのＩフレーム受信の周期及びタイミングが検出されると、チャンネル遷移スケジューリング手段１１０は、図３のフローチャートに従いチャンネルの割当てを開始する。
【００４５】
ここでは、図２に示す周期及びタイミングで各チャンネルのＩフレームを受信できるものとする。
【００４６】
通常、図２にあるように、Ｉフレームは周期的に送信されてくる。１５フレームに１回Ｉフレームが送信されてくるのが一般的である。
【００４７】
また、Ｉフレームの送信タイミングは、チャンネル毎に同期しないのが一般的である。
【００４８】
チャンネルの割当てが開始されると、最初のチャンネルＡを第２の受信部１０２へ割当てる（ステップＳ３０）。
【００４９】
次に、チャンネルＡと同じ周期及びタイミングでＩフレームを受信するチャンネルＤを第３の受信部１０３へ割当てる（ステップＳ３１〜ステップＳ４０）。
【００５０】
次に、チャンネルＢを第２の受信部１０２へ割当てる（ステップＳ４２〜ステップＳ３０）。
【００５１】
同様の手順で、チャンネルＣを第３の受信部１０３へ、チャンネルＥを第２の受信部１０２へ割当てる。
【００５２】
チャンネル遷移スケジューリング手段１１０は、チャンネルの割当て結果をチャンネル遷移制御手段１０７へ通知すると共に、各チャンネルのＩフレーム受信タイミングをチャンネル遷移制御手段１０７へ通知する。
【００５３】
チャンネル遷移制御手段１０７は、通知された各チャンネルのＩフレーム受信タイミングに合わせ、チャンネルの切替えを受信部制御手段１０８へ指示する。
【００５４】
以下、図４及び図５に従い本発明でのチャンネル切替え動作を説明する。
【００５５】
視聴者によるチャンネルの切替えが行われると、音声のミュートを行い（ステップＳ２０）、視聴者により指定されたチャンネルの受信が第１の受信部１０１で開始される（ステップＳ２１）。
【００５６】
次に、新たなチャンネルのＩフレームが受信されたかどうかの判断を行う（ステップＳ２２）。通常、チャンネルの切替え直後は、新たなチャンネルのＩフレームが受信されていることは無いので、出力切替手段１１２により記憶部１１１からの出力に切替わる。
【００５７】
記憶部１１１からは、新たなチャンネルに該当するＩフレームのうち最も古いものが出力されると同時に、記憶部１１１から出力したＩフレームが削除される（ステップＳ２３）。
【００５８】
記憶部１１１からのＩフレームが出力から１／４秒後に、次のステップＳ２２が実行される。
【００５９】
記憶部１１１に記憶されているＩフレーム数は、該等チャンネルに対し８であるので、最大２秒間分の映像を出力することが可能である。
【００６０】
ステップＳ２２において、新たなチャンネルのＩフレームが受信されたと判断されると、出力切替手段１１２により第１のデコーダー１０４から出力に切替わる（ステップＳ２４）。
【００６１】
映像出力の切替え後に、音声のミュートが解除され（ステップＳ２５）、チャンネルの切替えが終了する。
【００６２】
本実施例では、受信部１０１〜１０３とデコーダー１０４〜１０６が同一の装置内に内蔵されたものとして説明を行っているが、別の装置に実装した場合であっても本発明の本質を損なうものではない。
【００６３】
本実施例では、全てのチャンネルにおいてＩフレームのみを保存する形態で説明を行ったが、保存単位としてＩフレームに続くＰフレームを含めることも可能である。また、チャンネル毎に保存単位を選択する形態であっても構わない。
【００６４】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００６５】
【図１】本発明のデジタル放送受信装置の実施形態を表した構成図である。
【図２】各チャンネルのフレーム内符号化データ受信タイミングを示すタイミングチャートである。
【図３】本発明でのチャンネルの受信部への割付け処理を示すフローチャートである。
【図４】チャンネル切替え時の処理を示すフローチャートである。
【図５】チャンネル切替え動作を示すタイミングチャートである。
【符号の説明】
【００６６】
１０１…第１の受信部
１０２…第２の受信部
１０３…第３の受信部
１０４…第１のデコーダー
１０５…第２のデコーダー
１０６…第３のデコーダー
１０７…チャンネル遷移制御手段
１０８…受信部制御手段
１０９…フレーム内予測符号化データ受信タイミング検出手段
１１０…チャンネル遷移スケジューリング手段
１１１…フレーム内予測符号化データ記憶手段
１１２…出力切替手段
１１３…画像処理部
１１４…表示制御部
１１５…モニター
【図１】
2007281805.tif 000003
【図２】
2007281805.tif 000004
【図３】
2007281805.tif 000005
【図４】
2007281805.tif 000006
【図５】
2007281805.tif 000007